(57)【特許請求の範囲】
【請求項１】
天井型空調室内機の排水容器の底部に設置され、前記排水容器の内部側から外部側への流体の移動を阻止すると共に、一定以上の圧力に対し前記排水容器の外部側から内部側への流体の移動を許容する逆止弁と、
所望の量の排水処理剤を加圧状態で吐出する押出し式の注入器と、
前記逆止弁と前記注入器とを着脱自在に連結する連結器と、
を含むことを特徴とする天井型空調室内機の排水処理剤注入装置。
【請求項２】
請求項１に記載の天井型空調室内機の排水処理剤注入装置であって、
前記逆止弁は、筒状の弁室内に移動自在に配置され前記排水容器の内部側から弁座に向け常時付勢された弁体を備え、前記弁体の外周と前記弁室の内周との間には、前記弁室に比して変形強さが大である筒状の補強用カラーを介装したことを特徴とする天井型空調室内機の排水処理剤注入装置。
【発明の詳細な説明】
【０００１】
【発明の属する技術分野】
本発明は、天井形空調室内機の排水を溜める排水容器の内部に、排水処理剤を注入する装置に関する。
【０００２】
【従来の技術】
空調装置の故障には様々な原因があるが、そのうち大きな割合を占めているものの一つは、空調室内機の排水容器（ドレンパンやサブドレンパン）の排水不良である。空調室内機の排水容器では、空調室内機の排水を汲み上げポンプの吸込口へ導き、常時排水動作を行っているのであるが、排水の汚れにより汲み上げポンプが詰まると排水不良が生じる。これを防ぐ方法として、排水の汚れの分解を促進する液状の排水処理剤を、排水容器内に注入する方法が広く行われている。
【０００３】
従来、この排水処理剤の注入作業は手作業で行われており、図４に示すように、まず化粧パネル１を空調室内機２から取り外し、天井内（天井板５２の上部側）に作業者が入る間口を確保する。次に、サブドレンパン下部３の上端開口を覆うように数箇所でネジ止めされているサブドレンパン上部４を取り外し、計量カップ１４に排水処理剤を必要量とり、これを容器下部３に注ぎ入れる。最後に、再度計量カップ１４を使用して容器下部３に水を注ぎいれ、排水処理剤を洗い流す。
【０００４】
【発明が解決しようとする課題】
しかし、この方法による排水処理剤の注入作業は、容器上部４を取り外す大掛かりな作業のため、天井内に作業者が入る間口を確保する必要から化粧パネル１を取り外す必要があり、作業能率が悪い。また、化粧パネル１を取り外した場合にも、天井内のダクトや梁の配置によっては作業スペースが非常に狭いものとなり、排水容器の分解作業（ネジ止めされているサブドレンパン上部４の取り外し作業）を手探りで行うのに細心の注意を要し、近年の空調装置の個別分散化ならびに天井形空調装置の普及とも相まって作業者の負担が増大しているばかりか、甚だしい場合には排水処理剤の注入作業自体が行えない事態も生じている。
【０００５】
本発明は上記課題に鑑みてなされたものであって、その目的は、排水処理剤の注入作業について作業者の負担を軽減でき、また排水容器の周囲が狭い場合でも注入作業を確実に実行できる簡易な手段を提供することにある。
【０００６】
【課題を解決するための手段】
上記課題を解決するために、第１の本発明に係る天井型空調室内機の排水処理剤注入装置は、天井型空調室内機の排水容器の底部に設置され、前記排水容器の内部側から外部側への流体の移動を阻止すると共に、一定以上の圧力に対し前記排水容器の外部側から内部側への流体の移動を許容する逆止弁と、所望の量の排水処理剤を加圧状態で吐出する押出し式の注入器と、前記逆止弁と前記注入器とを着脱自在に連結する連結器と、を含むことを特徴とする。
【０００７】
第１の本発明では、排水容器の底部に設けられた逆止弁と、押出し式の注入器とを、着脱自在の連結器により連結し、注入器から所望の量の排水処理剤を加圧状態で吐出すると、この圧力により逆止弁が開き、排水処理剤が排水容器内に注入される。
【０００８】
このように、第１の本発明では、従来のように排水容器を分解することなく排水処理剤を注入することができる。また逆止弁が排水容器の底部に設置されており室内側から容易に接近できるため、作業しやすく、天井内に作業者が入る間口を確保するために化粧パネルを外す必要もないので、作業時間を大幅に短縮できる。また、天井内のダクトや梁の配置状態にかかわらず、注入作業を確実に実行できる。
【０００９】
第２の本発明は、第１の本発明の天井型空調室内機の排水処理剤注入装置であって、前記逆止弁は、筒状の弁室内に移動自在に配置され前記排水容器の内部側から弁座に向け常時付勢された弁体を備え、前記弁体の外周と前記弁室の内周との間には、前記弁室に比して変形強さが大である筒状の補強用カラーを介装したことを特徴とする。
【００１０】
第２の本発明では、逆止弁に対する連結器の連結不良や、逆止弁自体の経年劣化により、弁室に変形が生じた場合にも、補強用カラーによって弁体の作動経路が常に確保される。したがって第２の本発明では、弁体の作動が弁室の変形により妨げられる事態を防止でき、逆止弁を常に円滑かつ効果的に作動させることができる。
【００１１】
【発明の実施の形態】
以下、本発明の好適な実施の形態について図面に基づき詳細に説明する。図１において、本発明実施形態の排水処理剤注入装置Ａは、空調室内機２の側面に設けられた排水容器としてのサブドレンパンＢに、排水処理剤を注入するものである。
【００１２】
空調室内機２は、図示しない建物構造材に下向き（室内向き）に固定されており、その下面には化粧パネル１が取り付けられている。化粧パネル１には作業用蓋１ａが開閉自在に設けられている。サブドレンパンＢは、サブドレンパン上部４とサブドレンパン下部３とからなり、サブドレンパン上部４には汲み上げポンプ（図示せず）が内蔵され、この汲み上げポンプに排水管８が接続されており、サブドレンパン下部３内に溜まる排水を汲み上げポンプの作動により汲み上げ、排水管８より排水するように構成されている。
【００１３】
排水処理剤注入装置Ａは、逆止弁付きドレンキャップ５、ゴムチューブ６、及び注入器７からなる。
【００１４】
図２において、逆止弁付きドレンキャップ５は、いずれも樹脂からなるキャップ部１５及び逆止弁部２０から構成され、キャップ部１５の内周には雌ネジが形成されており、サブドレンパン下部３の底面を貫く円筒部１８の下端部１６の外周に形成された雄ネジとかみ合うように構成されている。なお、円筒部１８の下端部１６は、サブドレンパン下部３の水抜きの目的で従来用いられているドレンキャップ（図示せず）を取り付けるためのものをそのまま利用する。
【００１５】
逆止弁部２０には、その中央を上下に貫く管路２１が形成され、管路２１の中ほどに円筒状に形成された弁室２３には、鋼球からなる弁体１０が収容されている。弁体１０の上方に介装されたコイルばね９は、弁体１０をその下方の弁座２５に向けて常時付勢している。
【００１６】
キャップ部１５の下部には円筒部１１が形成され、円筒部１１の外周には雄ネジが形成されており、注入器側キャップ１２の内周に形成された雌ネジとかみ合うように構成されている。なお、円筒部１１及び注入器側キャップ１２は、連結器２７を構成する。
【００１７】
注入器７は、外筒３０及びピストン３２からなる押出し式のものであり、透明の樹脂により形成され、外筒３０に付された目盛り（図示せず）の表示により、内部に収容された流体の容積を知ることができるように構成されている。外筒３０の先端部２６には、ゴムチューブ６の一端が締め金具２８により取り付けられており、ゴムチューブ６の他端は、注入器側キャップ１２の下部に突設された円筒部２２に、締め金具２４により取り付けられている。
【００１８】
以上のとおり構成された排水処理剤注入装置Ａを用いて行う注入作業について以下に説明する。まず、注入器側キャップ１２を排水処理剤中に入れ、注入器７のピストン３２を引いて、所望の量の排水処理剤を注入器７に吸引する。
【００１９】
次に、化粧パネル１の蓋１ａを開き、注入器側キャップ１２と逆止弁付きドレンキャップ５の円筒部１１とからなる連結器２７を用いて、逆止弁付きドレンキャップ５と注入器７とを連結する。
【００２０】
そして、ピストン３２を押し、注入器７から排水処理剤を加圧状態で吐出する。このとき、押し出された排水処理剤の圧力により、逆止弁付きドレンキャップ５の弁体１０がコイルばね９の弾発力に抗して弁座２５から浮上し、注入器７側とサブドレンパンＢ側とが連通されるので、これにより、排水処理剤がサブドレンパンＢ内に注入される。
【００２１】
続いて、同様の操作を今度は水を用いて行い、サブドレンパンＢの内部の排水処理剤を洗い流す。
【００２２】
最後に、連結器２７の注入器側キャップ１２を外す。このとき、弁体１０がコイルばね９の付勢力により弁座２５に着座し、逆止弁としての作用が行われるので、サブドレンパンＢの内部の排水が流出するおそれはない。
【００２３】
このように、本実施形態では、サブドレンパン下部３の底部に設けられた逆止弁付きドレンキャップ５と、押出し式の注入器７とを、着脱自在の連結器２７により連結し、注入器７から所望の量の排水処理剤を加圧状態で吐出することにより、排水処理剤をサブドレンパンＢ内に注入できる。したがって、従来のように排水容器を分解することなく排水処理剤を注入することができる。また逆止弁付きドレンキャップ５がサブドレンパンＢの底部に設置されており室内側から容易に接近できるため、作業しやすく、天井内に作業者が入る間口を確保するために化粧パネル１を外す必要もないので、作業時間を大幅に短縮できる。また、天井内のダクトや梁の配置状態にかかわらず、注入作業を確実に実行することができる。
【００２４】
なお、上記実施形態における逆止弁付きドレンキャップ５に代えて、図３に示すような逆止弁付きドレンキャップ３５を用いてもよい。この逆止弁付きドレンキャップ３５の特徴的事項は、弁体４０の外周と弁室５３の内周との間に、円筒状の補強用カラー４３を介装した点である。補強用カラー４３は、弁室５３に比して変形強さが大である材料、例えばバネ鋼材を用いて形成する。なお、この逆止弁付きドレンキャップ３５の他の部分の構成は、上述した逆止弁付きドレンキャップ５と同様であるので、その説明は省略する。
【００２５】
この逆止弁付きドレンキャップ３５では、例えば逆止弁付きドレンキャップ３５を円筒部１８の下端部１６に対し斜めにねじ込んでしまった場合のような取り付け不良や、逆止弁部５０自体の経年劣化により、弁室５３に変形が生じた場合にも、補強用カラー４３によって弁体４０の作動経路が常に確保される。したがって、弁体４０の作動が弁室５３の変形により妨げられる事態を防止でき、逆止弁としての作用を常に円滑かつ効果的に行うことができる。
【００２６】
なお、上記実施形態においては、逆止弁として鋼球からなる弁体１０，４０を用いたものを採用したが、本発明においては他の形状・構造や材質の逆止弁を用いてもよい。また上記実施形態では、連結器２７，５７として円筒部１１，４１と注入器側キャップ１２とをねじ込みにより連結する構成のものを採用したが、これに代えて嵌め込み式の連結器を用いてもよい。又、上記実施形態では逆止弁付きドレンキャップ５，３５をサブドレンパン下部３の底面に設置する構成としたが、逆止弁付きドレンキャップ５，３５の取付け位置は作業者が接近しやすい位置であればサブドレンパン下部３のいずれの場所でもよく、特にサブドレンパン下部３の側面に取り付ける構成も本発明の範疇に属するものである。但し、上記実施形態では従来から水抜き用に設けられている円筒部１８をそのまま利用できる点で有利であるといえる。
【図面の簡単な説明】
【図１】  本発明実施形態の排水処理剤注入装置の使用状態を示す側面図である。
【図２】  本発明実施形態の排水処理剤注入装置の断面図である。
【図３】  逆止弁付きドレンキャップの他の構成例を示す断面図である。
【図４】  従来の排水処理剤の注入作業の方法を示す斜視図である。
【符号の説明】
Ａ  排水処理剤注入装置、Ｂ  サブドレンパン、１  化粧パネル、２  室内機、３  サブドレンパン下部、４  サブドレンパン上部、５，３５  逆止弁付きドレンキャップ、６  ゴムチューブ、７  注入器、９  コイルばね、１０，４０  弁体、２７，５７  連結器。
【図１】
0003718606.tif 000002
【図２】
0003718606.tif 000003
【図３】
0003718606.tif 000004
【図４】
0003718606.tif 000005